(57)【要約】【課題】リセットのし忘れによる印刷ミスの発生を抑えることができる画像形成装置の提供。【解決手段】複数の機能を有する画像形成装置１は、操作パネル５と、印刷部４３と、判断部４５ａとを備える。操作パネル５が、第１印刷処理の開始指示と、複数の機能のうち第１印刷処理が行われる場合に用いられる第１機能の設定とを受け付けると、印刷部４３は、第１印刷処理の開始指示及び第１機能に基づいて、第１印刷処理を行う。判断部４５ａは、操作パネル５が、第１印刷処理の終了後に第１印刷処理とは別の第２印刷処理の開始指示を受け付けた時、更に操作パネル５が第１機能とは別の第２機能の設定を受け付けたか否かを判断する。操作パネル５が第２機能の設定を受け付けていない場合、操作パネル５における表示パネル５ｂは、この旨を示すメッセージを表示する。【選択図】図２
2008216711.tif 000002
【特許請求の範囲】
【請求項１】
複数の機能を有する画像形成装置であって、
第１印刷処理の開始指示を受付可能な指示受付部と、
前記複数の機能のうち、前記第１印刷処理が行われる場合に用いられる第１機能の設定を受け付ける機能設定受付部と、
前記第１印刷処理の開始指示及び前記第１機能に基づいて、前記第１印刷処理を行う印刷部と、
前記指示受付部が、前記第１印刷処理の終了後に前記第１印刷処理とは別の第２印刷処理の開始指示を受け付けた時、前記機能設定受付部が前記第１機能とは別の第２機能の設定を受け付けたか否かを判断する判断部と、
前記機能設定受付部が前記第２機能の設定を受け付けていない場合、この旨を示すメッセージを表示する表示部と、
を備える画像形成装置。
【請求項２】
前記表示部は、前記メッセージを表示後、前記第２印刷処理を行うか否かの選択画面を更に表示し、
前記指示受付部は、前記第２印刷処理の開始指示または中止指示を更に受け付ける、
請求項１に記載の画像形成装置。
【請求項３】
前記指示受付部が前記第２印刷処理の中止指示を受け付けた場合、前記第１機能の設定を取り消す設定取り消し部を更に備える、請求項２に記載の画像形成装置。
【請求項４】
前記印刷部による前記第１印刷処理の終了後から所定時間が経過するまでの間に前記機能設定受付部が前記第２機能の設定を受け付けていない場合には、前記所定時間経過後に前記第１機能を自動的に取り消すオートリセット部を更に備える、請求項１〜３のいずれかに記載の画像形成装置。
【発明の詳細な説明】
【技術分野】
【０００１】
本発明は、画像形成装置に関する。
【背景技術】
【０００２】
従来より、多くの機能を有する複合機等の画像形成装置が良く用いられる。複合機等が有する機能には、縮小コピーや拡大コピーを行うズームコピー機能や、原稿を両面コピーする両面コピー機能、用紙に印刷される画像の濃度を調整する濃度調整機能等が挙げられる。このような画像形成装置により、ユーザは、所望の機能を用いて原稿をコピーすることができる。
【０００３】
しかしながら、このような画像形成装置では、画像形成装置が前回用いられた後に設定リセットがなされていない状態のまま印刷処理の開始が新たに指示されると、この印刷処理は、前回設定された機能を用いて行われる。すると、前回の印刷処理において例えば「印刷部数を１００枚にする」の設定がなされていた場合、今回の印刷処理時にも、原稿は１００枚印刷されてしまう。
【０００４】
そこで、例えば特許文献１のように、印刷処理が行われてから所定時間経過後、設定を自動的にリセットするいわゆるオートリセット機能を有する画像形成装置が知られている。より具体的には、特許文献１に係る画像形成装置は、印刷処理時の設定を記憶部に記憶している。そして、オートリセット機能が動作した後にユーザにより記憶部内の設定が読み出された場合、この画像形成装置は、画像形成装置自体をオートリセット機能が動作する前の状態にする。これにより、ユーザが一時的に画像形成装置から離れており、離れている間にオートリセット機能が動作した場合であっても、ユーザは再度設定を行わずに済む。
【特許文献１】特開平６−１７５４４４号公報
【発明の開示】
【発明が解決しようとする課題】
【０００５】
しかし、特許文献１の画像形成装置では、所定時間が経過していない間に他のユーザが画像形成装置を用いる時には、オーリセット機能は動作していない。従って、前のユーザがリセットを押さない限り、画像形成装置は、前のユーザが設定した状態となっている。このような場合、リセットのし忘れによる印刷ミスが生じてしまう。
【０００６】
そこで、本発明は、リセットのし忘れによる印刷ミスの発生を抑えることができる画像形成装置の提供を目的とする。
【課題を解決するための手段】
【０００７】
発明１に係る画像形成装置は、複数の機能を有する画像形成装置であって、指示受付部と、機能設定受付部と、印刷部と、判断部と、表示部とを備える。指示受付部は、第１印刷処理の開始指示を受け付けることができる。機能設定受付部は、複数の機能のうち、第１印刷処理が行われる場合に用いられる第１機能の設定を受け付ける。印刷部は、第１印刷処理の開始指示及び第１機能に基づいて、第１印刷処理を行う。判断部は、指示受付部が、第１印刷処理の終了後に第１印刷処理とは別の第２印刷処理の開始指示を受け付けた時、機能設定受付部が第１機能とは別の第２機能の設定を受け付けたか否かを判断する。表示部は、機能設定受付部が第２機能の設定を受け付けていない場合、この旨を示すメッセージを表示する。
【０００８】
この画像形成装置は、第１印刷処理が行われた後、設定のリセットがされていない場合や第１機能とは別の第２機能が設定されていない場合、この旨を示すメッセージを表示部に表示する。即ち、画像形成装置は、第２印刷処理の開始が指示された時に、設定が第１印刷処理時から変更されていない場合にはその旨を示すメッセージを表示部に表示する。これにより、第２印刷処理の開始指示をこの画像形成装置に行うユーザは、画像形成装置が第１印刷処理の行われた状態のままであることに気づくことができる。従って、リセットのし忘れによる印刷ミスの発生を抑えることができる。
【０００９】
発明２に係る画像形成装置は、発明１に係る画像形成装置であって、表示部は、メッセージを表示後、第２印刷処理を行うか否かの選択画面を更に表示する。そして、指示受付部は、第２印刷処理の開始指示または中止指示を更に受け付ける。
【００１０】
これにより、ユーザは、前回の第１印刷処理の時に設定されていた第１機能を用いて第２印刷処理を行わせるか、それとも第２印刷処理を中止させるかを選択することができる。
【００１１】
発明３に係る画像形成装置は、発明２に係る画像形成装置であって、設定取り消し部を更に備える。設定取り消し部は、指示受付部が第２印刷処理の中止指示を受け付けた場合、第１機能の設定を取り消す。
【００１２】
この画像形成装置によると、ユーザが第２印刷処理の中止を選択した場合、第１機能の設定は取り消されるため、画像形成装置はリセットされた状態となる。従って、次にこの画像形成装置を利用するユーザは、リセットのし忘れによる印刷ミスを生じさせることなく、所望の印刷処理を画像形成装置に行わせることができる。
【００１３】
発明４に係る画像形成装置は、発明１〜３のいずれかに係る画像形成装置であって、オートリセット部を更に備える。オートリセット部は、印刷部による第１印刷処理の終了後から所定時間が経過するまでの間に機能設定受付部が第２機能の設定を受け付けていない場合には、所定時間経過後に第１機能を自動的に取り消す。
【００１４】
オートリセット機能を搭載している一般的な画像形成装置では、第１印刷処理が終了してから所定時間が経過した時に未だ第１機能が設定されている場合、設定されている機能の初期化が行われる。しかし、このような画像形成装置では、第１印刷処理が終了してから所定時間が経過するまでの間に、他の第２印刷処理を行おうとした場合、オートリセット機能は作動していないため、リセットのし忘れによる印刷ミスを防ぐことができない。一方、本発明の画像形成装置は、このようにオートリセット機能が作動しない場合であっても、設定に変化がない場合には警告を表示させるため、画像形成装置が第１印刷処理の行われた状態のままであることをユーザに気づかせることができる。
【発明の効果】
【００１５】
本発明によると、リセットのし忘れによる印刷ミスの発生を抑えることができる。
【発明を実施するための最良の形態】
【００１６】
（１）構成
図１は、本実施形態に係る画像形成装置の外観図である。この画像形成装置１は、ＦＡＸやプリンタ、スキャナ、コピーを行うことができる複合機の機種であって、複数の機能を有している。複数の機能としては、複数の原稿を集約してコピーする集約機能や、用紙に印刷される画像の濃度を調整する濃度調整機能の他、いわゆるオートリセット機能が挙げられる。ここで、オートリセット機能とは、印刷終了後から所定時間が経過した時に前回設定された機能がリセットされていない場合、この設定を自動的に初期化する機能である。
【００１７】
図１の画像形成装置１は、原稿カバー３、本体部４、操作パネル５、給紙カセット６及び排紙トレイ７を含む。
【００１８】
原稿カバー３と対向する本体部４の部分には、原稿載置台２が設けられている。原稿カバー３は、原稿載置台２上に載置された原稿を押さえるためのものであって、原稿載置台２に対して開閉自在に本体部４に装着されている。
【００１９】
本体部４は、図２に示すように、通信部４１と、原稿読み取り部４２と、印刷部４３と、記憶部４４と、制御部４５とを含む。
【００２０】
通信部４１は、通信ネットワークを介して接続されたＰＣ等の外部装置と通信を行う。
【００２１】
原稿読み取り部４２は、原稿載置台２に載置された原稿を読み取って画像データを取得するためのものであって、図示しない光学系を有している。
【００２２】
印刷部４３は、画像データに基づいてトナー像を形成する画像形成部、トナー像を記録紙に転写する転写部及び記録紙上のトナー像を記録紙に定着させる定着部等を含み、印刷処理の開始に基づいて印刷処理を行う。特に、印刷部４３は、画像形成装置１が有している複数の機能のうち、ユーザにより操作パネル５を介して所定機能が設定された場合には、その所定機能を用いて印刷処理を行う。
【００２３】
記憶部４４は、制御部４５により読み出されて実行される各種プログラムや、ユーザにより操作パネル５を介して設定された所定機能を記憶している。
【００２４】
制御部４５は、ＣＰＵやメモリを含むマイクロコンピュータで構成されており、図２に示すように、通信部４１、原稿読み取り部４２、印刷部４３、記憶部４４及び操作パネル５と接続されている。制御部４５は、印刷処理や接続されている各入出部の動作の制御等を行う。尚、制御部４５については、「（２）制御部の構成」で詳述する。
【００２５】
操作パネル５（指示受付部、機能設定受付部及び表示部に相当）は、図１に示すように、本体部４において原稿載置台２の手前側部分に設けられ、操作キー５ａ及び表示パネル５ｂを有しており、外部からの入力操作を受け付ける。操作キー５ａは、印刷処理等の各種処理の開始を指示するためのスタートキーや、コピー、プリンタ、スキャナ及びＦＡＸの機能を設定するための設定キー及びテンキー等を有している。表示パネル５ｂは、例えば液晶ディスプレイで構成されるタッチパネルであって、各種の設定画面等を表示する。
【００２６】
ここで、本実施形態に係る操作パネル５についてより具体的に説明する。例えば、表示パネル５ｂは、図３に示すように、画像形成装置１が有する複数の機能を選択可能に一画面に表示した機能リストを表示する。この場合、ユーザは、表示パネル５ｂ上または操作キー５ａを用いて所望する所定機能の設定を行うことができる。また、原稿載置台２に原稿が置かれて操作キー５ａ上のスタートキーが押された際に、設定が印刷処理を前回行った時と変わっていない場合には、表示パネル５ｂには、図４に示すように、前回の印刷後から設定リセットが行われていない旨をユーザに知らせるためのメッセージが表示され、前回設定された機能を用いて印刷処理を行っても良いか否かの選択画面が表示される。ユーザが操作キー５ａを用いてまたは表示パネル５ｂに直接手を触れることにより図４の画面上から「いいえ」が選択された場合には、表示パネル５ｂには、図５に示すように、印刷処理をキャンセルする旨のメッセージと設定リセットを行った旨のメッセージとが表示される。
【００２７】
給紙カセット６は、用紙を収納可能であって、図１に示すように本体部４の下方に３段設けられている。
【００２８】
排紙トレイ７は、本体部４の側面に側方に突出するように設けられており、本体部４内部の印刷部４３により画像が形成された用紙が積載される。
【００２９】
（２）制御部の構成
本実施形態に係る制御部４５は、印刷処理の開始が指示された時の機能等の設定が、前回印刷処理を行った時の設定から変わっているか否かに基づいて、操作パネル５等を制御する。このような動作を行うため、制御部４５は、図２に示すように、判断部４５ａ、書き込み部４５ｂ、設定取り消し部４５ｃ、オートリセット部４５ｄ及び操作パネル制御部４５ｅとして機能する。
【００３０】
尚、以下の説明では、説明の便宜上、前回行われた印刷処理を「第１印刷処理」と言い、その後行われようとしている印刷処理を「第２印刷処理」と言う。また、第１印刷処理時に設定され用いられた機能を「第１機能」と言い、第２印刷処理時に設定され用いられる機能を「第２機能」と言う。具体的に、第１機能には、画像形成装置１のデフォルト時には設定されていないようなページ設定等の特殊な機能や、複数枚の印刷枚数が含まれ、第２機能は、第１機能とは別の機能であって、画像形成装置１のデフォルト時に設定されているような機能（即ちリセットされ初期化された時に設定されているような機能）や、印刷枚数「１枚」も含まれる。
【００３１】
〔判断部〕
判断部４５ａは、第１印刷処理の終了後に、操作パネル５が第１印刷処理とは別の第２印刷処理の開始指示を受け付けた時、操作パネル５を介して第１機能とは別の第２機能が設定されたか否かを判断する。例えば、第１機能として「両面コピー」「１０枚印刷」が選択された状態で第１印刷処理「１０枚の原稿を両面に１０部ずつ印刷する」の開始指示がなされ、印刷部４３により第１印刷処理が行われた場合について説明する。第１印刷処理が終了してから所定時間が経過するまでの間に操作パネル５を介して第２印刷処理「１枚の原稿を印刷する」の開始指示がなされた時、判断部４５ａは、現在画像形成装置１に設定されている機能が第１機能の状態であるか、それとも第１機能から変更されたか否かを判断する。即ち、判断部４５ａは、第２印刷処理の開始指示を操作パネル５が受け付けた時の機能等の設定が、一旦リセットされた状態であるのか否か、また第２機能が新たに設定されている状態であるのか否かを判断する。
【００３２】
ここで、設定された機能が変わったか否かを判断するための具体的な方法としては、例えば設定フラグを用いた方法が挙げられる。設定フラグは、第２印刷処理が指示された時に画像形成装置１に設定されている機能が、第１印刷処理時に設定された機能であるか否かを表すためのフラグであって、その値は記憶部４４内に格納される。本実施形態の設定フラグは、第１印刷処理終了時には「１」の値に設定され、操作キー５ａ内のリセットキーが押されたり第１機能以外の機能（即ち第２機能）が設定されたりした時には「０」の値に設定される。判断部４５ａは、この設定フラグに基づいて、画像形成装置１が前回設定された状態を保っているのか、それとも前回設定された状態とは異なる状態であるのかを判断することができる。
【００３３】
〔書き込み部〕
書き込み部４５ｂは、操作パネル５を用いてユーザにより設定された第１機能を記憶部４４に記憶させる。また、書き込み部４５ｂは、判断部４５ａが画像形成装置１に設定されている機能の状態を判断する際に用いる設定フラグの値を、画像形成装置１のその時々の状態に応じて決定し、記憶部４４に書き込む。
【００３４】
〔設定取り消し部〕
設定取り消し部４５ｃは、表示パネル５ｂに図４の画面が表示され、この画面上から「いいえ」が選択されたことにより操作パネル５が第２印刷処理の中止指示を受け付けた場合、第２印刷処理の開始指示を消去すると共に、第１機能の設定を取り消す。即ち、設定取り消し部４５ｃは、第２印刷処理の中止指示が受け付けられた場合には、前回の印刷（第１印刷処理）時に画像形成装置１になされた設定をリセットする。
【００３５】
〔オートリセット部〕
オートリセット部４５ｄは、第１印刷処理の終了時に時間の計測を開始する。そして、計測した時間が所定時間経過した時、オートリセット部４５ｄは、時間を計測し始めてから所定時間が経過するまでの間に第２機能の設定を受け付けていない場合には、第１機能を自動的に取り消す。言い換えると、オートリセット部４５ｄは、第１印刷処理が終了してから所定時間までの間に操作キー５ａ上のリセットキーが押されず、画像形成装置１が未だ前回印刷を行った時の設定を保っている場合には、設定の初期化を行う。
【００３６】
〔操作パネル制御部〕
操作パネル制御部４５ｅは、操作パネル５の制御を行う。
【００３７】
例えば、操作パネル５が、第１印刷処理の終了後に第２印刷処理の開始指示を受け付けた場合には、操作パネル制御部４５ｅは、判断部４５ａの判断結果に基づいて、操作パネル５の表示パネル５ｂに表示される画面を制御する。具体的には、第２印刷処理の開始指示取得時の設定フラグが「１」であって、画像形成装置１が前回の設定を保っている状態にあると判断部４５ａが判断した場合、操作パネル制御部４５ｅは、図４の画面が表示パネル５ｂに表示されるように、表示パネル５ｂを制御する。
【００３８】
また、図４の画面上から「いいえ」が選択された場合、操作パネル制御部４５ｅは、図５の画面が表示パネル５ｂに表示されるように、表示パネル５ｂを制御する。
【００３９】
（３）動作
次に、本実施形態に係る画像形成装置１の動作について図６を用いて説明する。尚、画像形成装置１の電源ははじめからオンしているとし、電源オン時には、設定フラグの値は「０」に設定されているとする。尚、図６では、印刷処理が２回以上行われる場合についても本実施形態に係る画像形成装置１が適用できるように、印刷処理を第１印刷処理及び第２印刷処理と区別せずに記載している。
【００４０】
ステップＳ１〜２：操作パネル５を介してユーザにより機能（即ち第１機能）の設定がされた後、操作キー５ａ上のスタートキーが押されることにより印刷処理（即ち第１印刷処理）の開始指示がなされると（Ｓ１）、印刷部４３は、設定された機能（第１機能）を用いて印刷処理（第１印刷処理）を行う（Ｓ２）。
【００４１】
ステップＳ３〜４：ステップＳ２の印刷処理が終了するまで（Ｓ３のＮＯ）、印刷部４３は印刷処理（第１印刷処理）を行う。印刷処理（第１印刷処理）が終了すると（Ｓ３のＹＥＳ）、制御部４５の書き込み部４５ｂは、設定フラグの値「１」を記憶部４４に書き込む（Ｓ４）。尚、オートリセット部４５ｄは、印刷処理（第１印刷処理）が終了してから時間の計測を開始し、その時間が所定時間を経過した場合には自動的に設定の初期化を行う。
【００４２】
ステップＳ５〜７：印刷処理（第１印刷処理）の終了後、ユーザにより操作キー５ａ上のリセットキーが押された場合（Ｓ５のＹＥＳ）、または既にユーザにより設定されている機能（第１機能）とは別の機能（即ち第２機能）が設定されることにより設定が変更された場合（Ｓ６のＹＥＳ）、書き込み部４５ｂは、設定フラグの値「０」を記憶部４４に書き込む（Ｓ７）。また、ステップＳ３で印刷処理（第１印刷処理）が終了してからの時間が所定時間を経過した場合には、オートリセット部４５ｄにより自動的に初期化が行われるため、この場合についても、設定フラグの値は「０」に書き換えられる。
【００４３】
尚、操作キー５ａ上のリセットキーが押されず（Ｓ５のＮＯ）、かつ設定変更がなされていない場合には（Ｓ６のＮＯ）、設定フラグの値は「１」のまま保たれる。
【００４４】
ステップＳ８〜９：ユーザにより操作キー５ａ上のスタートキーが押されることによりステップＳ１〜３の印刷処理とは別の印刷処理（即ち第２印刷処理）の開始指示がなされた場合（Ｓ８）、判断部４５ａは、記憶部４４内の設定フラグの値が「０」か否かを判断する（Ｓ９）。
【００４５】
ステップＳ１０〜１１：設定フラグが「０」である場合には（Ｓ９のＹＥＳ）、判断部４５ａは、リセットキーが押されたり機能（第２機能）が設定されたりして設定が前回の印刷時から変更されていると判断する。この場合、印刷部４３は、ステップＳ１〜３の印刷処理とは別の印刷処理（第２印刷処理）を行う（Ｓ１０）。尚、別の印刷処理（第２印刷処理）が終了すると（Ｓ１１）、書き込み部４５ｂは、設定フラグの値「１」を記憶部４４に書き込む（Ｓ４）。
【００４６】
ステップＳ１２：ステップＳ９において、設定フラグが「１」である場合（Ｓ９のＮＯ）、判断部４５ａは、オートリセット機能が未作動であり、かつリセットキーが押されたり設定変更がなされたりしていないと判断する。この場合、操作パネル制御部４５ｅは、この旨を示すメッセージと別の印刷処理（第２印刷処理）を行うか否かの選択画面とが表示パネル５ｂに表示されるように、表示パネル５ｂを制御する。これにより、表示パネル５ｂには、図４に示すような画面が表示される。
【００４７】
ステップＳ１３：図４の選択画面上から「はい」が選択された場合には（Ｓ１３のＹＥＳ）、印刷部４３は、ステップＳ１〜３における印刷処理（第１印刷処理）が行われた時の設定（即ち第１機能）を用いてステップＳ１〜３の印刷処理とは別の印刷処理（第２印刷処理）を行う（Ｓ１０）。
【００４８】
ステップＳ１４：図４の選択画面上から「いいえ」が選択され、別の印刷処理（第２印刷処理）の中止指示がなされると（Ｓ１３のＮＯ）、設定取り消し部４５ｃは、ステップＳ１における印刷処理（第１印刷処理）が行われた時の設定（即ち第１機能）を記憶部４４内から消去し、書き込み部４５ｂは、設定フラグの値「０」を記憶部４４に書き込む（Ｓ１４）。
【００４９】
（４）効果
本実施形態に係る画像形成装置１は、第１印刷処理が行われた後、設定リセットがされていない場合や第１機能とは別の第２機能が設定されていない場合、この旨を示すメッセージを表示パネル５ｂに表示する。即ち、画像形成装置１は、第２印刷処理の開始が指示された時に、設定が第１印刷処理時から変更されていない場合にはその旨を示すメッセージを表示パネル５ｂに表示する。これにより、第２印刷処理の開始指示をこの画像形成装置１に行うユーザは、画像形成装置１が第１印刷処理の行われた状態のままであることに気づくことができる。従って、リセットのし忘れによる印刷ミスの発生を抑えることができる。
【００５０】
また、表示パネル５ｂには、メッセージの表示後、第２印刷処理を行うか否かの選択画面を更に表示する。これにより、ユーザは、前回の第１印刷処理の時に設定されていた第１機能を用いて画像形成装置１に第２印刷処理を行わせるか、それとも第２印刷処理を中止させるかを選択することができる。
【００５１】
また、この画像形成装置１によると、図４の画面上から第２印刷処理の中止が選択された場合、第１機能の設定は取り消されるため、画像形成装置１はリセットされた状態となる。従って、次にこの画像形成装置１を利用するユーザは、リセットのし忘れによる印刷ミスを生じさせることなく、所望の印刷処理を画像形成装置１に行わせることができる。
【００５２】
また、オートリセット機能を搭載している一般的な画像形成装置では、第１印刷処理が終了してから所定時間が経過した時に未だ第１機能が設定されている場合、設定されている機能の初期化が行われる。しかし、このような画像形成装置では、第１印刷処理が終了してから所定時間が経過するまでの間に、他のユーザが第２印刷処理を行おうとした場合、オートリセット機能は作動していないため、リセットのし忘れによる印刷ミスを防ぐことができない。一方、本実施形態の画像形成装置１は、このようにオートリセット機能が作動しない場合であっても、設定に変化がない場合には警告を表示させるため、画像形成装置１が第１印刷処理の行われた状態のままであることをユーザに気づかせることができる。
【産業上の利用可能性】
【００５３】
本発明に係る画像形成装置は、複写機、プリンタ及びファクシミリ装置の各機種や、これらの機能に更にスキャナ機能を併せ持つ複合機において適用できる。
【図面の簡単な説明】
【００５４】
【図１】本実施形態に係る画像形成装置の外観図。
【図２】本実施形態に係る画像形成装置の構成を模式的に示す図。
【図３】本実施形態に係る画像形成装置の表示パネルに表示される画面例。
【図４】本実施形態に係る画像形成装置の表示パネルに表示される画面例。
【図５】本実施形態に係る画像形成装置の表示パネルに表示される画面例。
【図６】本実施形態に係る画像形成装置が行う動作の流れを示すフローチャート。
【符号の説明】
【００５５】
１  画像形成装置
５  操作パネル
５ａ  操作キー
５ｂ  表示パネル
４３  印刷部
４４  記憶部
４５  制御部
４５ａ  判断部
４５ｂ  書き込み部
４５ｃ  設定取り消し部
４５ｄ  オートリセット部
４５ｅ  操作パネル制御部
【図１】
2008216711.tif 000003
【図２】
2008216711.tif 000004
【図３】
2008216711.tif 000005
【図４】
2008216711.tif 000006
【図５】
2008216711.tif 000007
【図６】
2008216711.tif 000008